(57)【要約】【課題】サードパーティークッキーを用いたサービスを提供できる。【解決手段】本願に係る転送装置は、第１ドメインのクッキーを情報処理装置から受付ける受付部と、第２ドメインのクッキーを管理するサーバ装置に対し、前記第２ドメインのクッキーとして、前記情報処理装置から受付けたクッキーに基づく情報を送信する送信部とを有することを特徴とする。このため、例えば、転送装置１０は、ドメインＡのウェブページを閲覧する端末装置１００がサードパーティークッキーの設定を受付けていない場合にも、ドメインＢでクッキーを管理する管理サーバ２００に対し、端末装置１００のクッキーの値を伝達することができる。【選択図】図１
2017194843.tif 000002
【特許請求の範囲】
【請求項１】
第１ドメインのクッキーを情報処理装置から受付ける受付部と、
第２ドメインのクッキーを管理するサーバ装置に対し、前記第２ドメインのクッキーとして、前記情報処理装置から受付けたクッキーに基づく情報を送信する送信部と
を有することを特徴とする転送装置。
【請求項２】
前記サーバ装置から、前記第２ドメインの新たなクッキーを受信する受信部と、
前記第１ドメインで発行された新たなクッキーとして、前記サーバ装置から受信したクッキーに基づく情報を前記情報処理装置に通知する通知部と
を有することを特徴とする請求項１に記載の転送装置。
【請求項３】
前記送信部は、前記クッキーの送信先となるサーバ装置が複数存在する場合には、前記第１ドメインに含まれるサブドメインのうち前記情報処理装置から受信したクッキーのサブドメインに応じたサーバ装置に対し、当該サーバ装置が使用するドメインのクッキーとして、前記情報処理装置から受付けたクッキーに基づく情報を送信する
ことを特徴とする請求項１または２に記載の転送装置。
【請求項４】
前記送信部は、前記情報処理装置から受付けたクッキーのうち、予め定められた所定の項目の値を、前記サーバ装置に対して送信する
ことを特徴とする請求項１〜３のうちいずれか１つに記載の転送装置。
【請求項５】
前記送信部は、前記情報処理装置から受付けたクッキーのうち、前記情報処理装置を使用する利用者を識別する項目の値を送信する
ことを特徴とする請求項４に記載の転送装置。
【請求項６】
前記送信部は、前記情報処理装置から受付けたクッキーのうち、前記情報処理装置を使用する利用者を識別する値としてそれぞれ異なるドメインのクッキーの値を統合するか否かを示す項目の値を送信する
ことを特徴とする請求項４または５に記載の転送装置。
【請求項７】
前記送信部は、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する
ことを特徴とする請求項４〜６のうちいずれか１つに記載の転送装置。
【請求項８】
前記送信部は、前記情報処理装置から受付けたクッキーのうち、前記情報処理装置に対して提供される情報、または、前記情報処理装置に対して提供されない情報を指定する項目の値を送信する
ことを特徴とする請求項４〜７のうちいずれか１つに記載の転送装置。
【請求項９】
前記受付部は、前記第１ドメインのクッキーとして、前記情報処理装置を使用する利用者を識別する値として、それぞれ異なる発行元から発行されたクッキーを受付け、
前記送信部は、同じ利用者を識別するクッキーを紐付けて管理するサーバ装置に対し、当該サーバ装置が使用するドメインのクッキーとして、前記情報処理装置から受付けたクッキーに基づく情報を送信する
ことを特徴とする請求項１〜８のうちいずれか１つに記載の転送装置。
【請求項１０】
前記受付部は、前記第１ドメインのクッキーを送信するタグが埋め込まれたウェブページであって、前記第１ドメインを含むＵＲＬ（Uniform  Resource  Locator）によって指定されるウェブページの配信を受付けた情報処理装置から、前記クッキーを受付ける
ことを特徴とする請求項１〜９のうちいずれか１つに記載の転送装置。
【請求項１１】
前記受付部は、前記情報処理装置として、前記ウェブページとは異なるドメインの転送装置にクッキーを送信せず、前記ウェブページと同じドメインの転送装置にクッキーを送信する情報処理装置から前記クッキーを受付ける
ことを特徴とする請求項１０に記載の転送装置。
【請求項１２】
情報処理装置から第１ドメインのクッキーの発行要求を受付ける受付部と、
前記クッキーの発行要求を受付けた場合には、第２ドメインのクッキーを管理するサーバ装置に対し、当該第２ドメインのクッキーの発行要求を送信する送信部と、
前記サーバ装置から前記第２ドメインで発行されたクッキーを受信した場合には、前記第１ドメインのクッキーとして、前記サーバ装置から受信したクッキーに基づく情報を前記情報処理装置に通知する通知部と
を有することを特徴とする転送装置。
【請求項１３】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーに基づく情報を送信する送信工程と
を含むことを特徴とする転送方法。
【請求項１４】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーに基づく情報を送信する送信手順と
をコンピュータに実行させるための転送プログラム。
【発明の詳細な説明】
【技術分野】
【０００１】
本発明は、転送装置、転送方法および転送プログラムに関する。
【背景技術】
【０００２】
従来、インターネットの飛躍的な普及に伴い、インターネットを介して様々な情報の提供が行われている。このような情報の提供を行う技術の一例として、ＨＴＴＰクッキー（Hyper  Text  Transfer  Protocol  cookie）と呼ばれる技術を用いて、利用者を識別することで、利用者の利便性を向上させる技術が知られている。このような技術の一例として、ＨＴＴＰクッキー（以下、「クッキー」と記載する。）を用いて、利用者のアクセス履歴を特定し、特定したアクセス履歴に基づいて、各種サービスを提供する技術が知られている。
【０００３】
ここで、クッキーには、利用者がアクセスしているドメインのサーバによって発行されるファーストパーティークッキーと、利用者がアクセスしているドメインとは異なるドメインのサーバによって発行されるサードパーティークッキーとが存在する。このようなサードパーティークッキーを用いた場合には、利用者がアクセスしているドメインだけではなく、他ドメインへのアクセス履歴を特定することができる。
【先行技術文献】
【特許文献】
【０００４】
【特許文献１】特開２０１３−１９６０６３号公報
【発明の概要】
【発明が解決しようとする課題】
【０００５】
しかしながら、上記の従来技術では、サードパーティークッキーを用いたサービスを提供できない場合がある。
【０００６】
例えば、情報処理装置が実行するブラウザの中には、セキュリティの観点からファーストパーティークッキーの設定のみを許可し、サードパーティークッキーの設定を許可しないものが存在する。このため、上記の従来技術では、情報処理装置がサードパーティークッキーの使用を制限している場合は、利用者を識別することができず、利用者のアクセス履歴に基づいたサービスを提供することができない。
【０００７】
本願は、上記に鑑みてなされたものであって、サードパーティークッキーを用いたサービスを提供できる転送装置、転送方法および転送プログラムを提供することを目的とする。
【課題を解決するための手段】
【０００８】
本願に係る転送装置は、第１ドメインのクッキーを情報処理装置から受付ける受付部と、第２ドメインのクッキーを管理するサーバ装置に対し、前記第２ドメインのクッキーとして、前記情報処理装置から受付けたクッキーに基づく情報を送信する送信部とを有することを特徴とする。
【発明の効果】
【０００９】
実施形態の一態様によれば、サードパーティークッキーを用いたサービスを提供できる。
【図面の簡単な説明】
【００１０】
【図１】図１は、実施形態に係る転送装置が実行する転送処理の一例を示す図である。
【図２】図２は、実施形態に係る転送装置の構成例を示す図である。
【図３】図３は、実施形態に係るドメインテーブルに登録される情報の一例を説明する図である。
【図４】図４は、実施形態に係る転送テーブルに登録される情報の一例を示す図である。
【図５】図５は、転送装置が複数のクッキーを同期させる処理の一例を示す図である。
【図６】図６は、実施形態に係る転送装置が実行する転送処理の流れの一例を示すフローチャートである。
【図７】図７は、複数の転送装置にクッキーを出し分ける処理の一例を示す図である。
【図８】図８は、複数の管理サーバにクッキーの出し分けを行う処理の一例を示す図である。
【図９】図９は、ハードウェア構成の一例を示す図である。
【発明を実施するための形態】
【００１１】
以下に、本願に係る転送装置、転送方法および転送プログラムを実施するための形態（以下、「実施形態」と記載する。）について図面を参照しつつ詳細に説明する。なお、この実施形態により本願に係る転送装置、転送方法および転送プログラムが限定されるものではない。また、以下の各実施形態において同一の部位には同一の符号を付し、重複する説明は省略される。
【００１２】
〔１．転送装置の一例〕
まず、図１を用いて、転送装置が実行する転送処理の一例について説明する。図１は、実施形態に係る転送装置が実行する転送処理の一例を示す図である。図１では、転送装置１０は、利用者が使用する端末装置１００、および、所定ドメインのクッキーを管理する管理サーバ２００と通信可能である。また、端末装置１００は、クッキーの使用を指示するタグが埋め込まれたウェブページを配信する配信サーバ１１０と通信可能である。
【００１３】
転送装置１０は、後述する転送処理を実行する情報処理装置であり、例えば、サーバ装置やクラウドシステム等により実現される。また、転送装置１０は、所定ドメインで発行されたクッキーの値を受付けるサーバ、すなわち、所定ドメインでアクセス可能なサーバである。例えば、図１に示す例では、転送装置１０は、ドメイン「ｓｕｂ．ｄｏｍａｉｎＡ．ｃｏｍ」（以下、「ドメインＡ」と記載する場合がある。）で発行されたクッキーの値を受付けると、受付けた値に基づくサービスを提供することとなる。
【００１４】
管理サーバ２００は、転送装置１０とは異なるドメインでアクセス可能なサーバ装置である。具体的には、管理サーバ２００は、転送装置１０とは異なるドメインのクッキーを管理するサーバ装置である。例えば、図１に示す例では、管理サーバ２００は、ドメイン「ｓｕｂ．ｄｏｍａｉｎＢ．ｃｏｍ」（以下、「ドメインＢ」と記載する場合がある。）で発行されたクッキーの値を受付けると、受付けた値に基づくサービスを提供するサーバ装置である。
【００１５】
配信サーバ１１０は、ウェブページの配信を行うサーバ装置である。例えば、配信サーバ１１０は、端末装置１００からウェブページのＵＲＬ（Uniform  Resource  Locator）を受信すると、受信したＵＲＬが示すウェブページのデータを端末装置１００へと送信する。より具体的には、配信サーバ１１０は、転送装置１０と同じドメインのＵＲＬが示すウェブページの配信を行う。
【００１６】
端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。ここで、端末装置１００は、ブラウザ等、ウェブページを閲覧するためのアプリケーションがインストールされている。このような端末装置１００は、利用者の操作により閲覧対象となるウェブページのＵＲＬを取得すると、取得したＵＲＬを配信サーバ１１０へと送信する。そして、端末装置１００は、配信サーバ１１０によって配信されたウェブページのデータを受信すると、受信したデータから表示するウェブページを生成し、生成したウェブページの表示を行う。
【００１７】
ここで、端末装置１００は、クッキーを用いて、利用者の識別情報を外部サーバに対して送信する場合がある。例えば、配信サーバ１１０は、図１中（Ａ）に示すように、クッキーに含まれる各項目の値（以下、「クッキーの値」と記載する。）を所定のサーバに通知するよう指示するタグが埋め込まれたウェブページの配信を行う場合がある。このような場合、端末装置１００は、ウェブページに埋め込まれたタグに従って、端末装置１００が記憶するクッキーの値の通知等を行い、各種サービスの提供を受けることとなる。
【００１８】
このようなクッキーには、タグが埋め込まれたウェブページと同じドメインで発行されたクッキー、すなわち、タグが埋め込まれたウェブページと同じドメインのサーバと情報の送受信を行わせるためのファーストパーティークッキーと、タグが埋め込まれたウェブページとは異なるドメインで発行されたクッキー、すなわち、タグが埋め込まれたウェブページとは異なるドメインのサーバと情報の送受信を行わせるためのサードパーティークッキーとが存在する。このようなサードパーティークッキーを用いた場合には、利用者がアクセスしたウェブページドメインによらずに、利用者を横断的に識別することができる。このため、利用者の識別やＤＭＰ（Data  Management  Platform）の利用時等に、サードパーティークッキーが用いられる場合がある。
【００１９】
しかしながら、端末装置１００が実行するブラウザには、デフォルトでサードパーティークッキーの設定を受付けない設定が行われているものが存在する。このように、サードパーティークッキーの設定を受付けない場合には、利用者の識別を行うことができないため、ウェブページの閲覧履歴やＤＭＰの利用を行うことができなくなる。
【００２０】
〔１−１．転送処理の一例〕
そこで、転送装置１０は、以下の転送処理を実行する。具体的には、転送装置１０は、端末装置１００に対して第１ドメインで発行されたクッキー（以下、「第１ドメインのクッキー」と記載する。）の値を端末装置１００から受付ける。そして、転送装置１０は、第２ドメインで発行されたクッキー（以下、「第２ドメインのクッキー」と記載する。）を管理する管理サーバ２００に対し、第２ドメインのクッキーとして、端末装置１００から受付けたクッキーに基づく情報を送信する。
【００２１】
以下、図１を用いて、転送処理の一例を説明する。例えば、配信サーバ１１０は、ドメインＡのクッキーを用いるタグが埋め込まれたウェブページであって、ドメインＡに含まれるＵＲＬによって指定されるウェブページを端末装置１００に配信する（ステップＳ１）。このような場合、端末装置１００は、ウェブページと同じドメインであるドメインＡのサーバ、すなわち、転送装置１０に対して、クッキーの値を送信する（ステップＳ２）。
【００２２】
具体的には、転送装置１０は、端末装置１００に配信されたウェブページと同じドメインでアクセス可能に設定されている。より具体的には、転送装置１０は、配信サーバ１１０と同じドメインであるドメインＡでアクセス可能なサーバ装置として構成されている。例えば、端末装置１００は、「Ｄｏｍａｉｎ：ｓｕｂ．ｄｏｍａｉｎＡ．ｃｏｍ」のクッキーの値のうち、項目「ｋｅｙ０１」の値「ｂｂｂ」と、項目「ｋｅｙ０２」の値「ｄｄｄ」とを、「Ｄｏｍａｉｎ：ｓｕｂ．ｄｏｍａｉｎＡ．ｃｏｍ」が示すサーバ、すなわち、転送装置１０に送信する。ここで、端末装置１００は、クッキーが発行されたドメインと、ウェブページドメインとが同一であるため、サードパーティークッキーの設定を受付けていない場合にも、クッキーの値を送信することができる。
【００２３】
一方、転送装置１０は、端末装置１００からクッキーの値を受付けると、ドメインＡとは異なるドメインＢのクッキーを管理する管理サーバ２００に対し、端末装置１００から受付けたクッキーの値「ｂｂｂ」と「ｄｄｄ」とを、ドメインＢのクッキーの値として送信する（ステップＳ３）。例えば、転送装置１０は、「Ｄｏｍａｉｎ：ｓｕｂ．ｄｏｍａｉｎＢ．ｃｏｍ」のクッキーの項目「ｋｅｙ０１」の値として「ｂｂｂ」を送信する。また、転送装置１０は、「Ｄｏｍａｉｎ：ｓｕｂ．ｄｏｍａｉｎＢ．ｃｏｍ」のクッキーの項目「ｋｅｙ０２」の値として「ｄｄｄ」を送信する。
【００２４】
このような場合、管理サーバ２００は、受付けたクッキーの値に応じた各種処理を実行する。例えば、管理サーバ２００は、受付けたクッキーの値が、端末装置１００の利用者を示す項目（例えば、「ｎａｍｅ」）の値である場合には、受付けた値や、端末装置１００に配信されたウェブページのＵＲＬ等に基づいて、端末装置１００を使用する利用者が閲覧したウェブページの閲覧履歴を更新する。
【００２５】
一方、管理サーバ２００は、クッキーの値を更新する場合には、ドメインＢのクッキーの値を設定する「ｓｅｔ−ｃｏｏｋｉｅ」を発行する（ステップＳ４）。例えば、図１に示す例では、管理サーバ２００は、「ｓｅｔ−ｃｏｏｋｉｅ」として、「Ｄｏｍａｉｎ：ｓｕｂ．ｄｏｍａｉｎＢ．ｃｏｍ」のクッキーの項目「ｋｅｙ０１」の値を「ｂｂｂ」とし、項目「ｋｅｙ０２」の値を「ｅｅｅ」とする指示を発行する。
【００２６】
このように、転送装置１０は、管理サーバ２００から、ドメインＢのクッキーの新たな値を受信すると、受信した値を、ドメインＡのクッキーの新たな値として端末装置１００に通知し、設定させる（ステップＳ５）。例えば、端末装置１００は、「ｓｅｔ−ｃｏｏｋｉｅ」として、「Ｄｏｍａｉｎ：ｓｕｂ．ｄｏｍａｉｎＡ．ｃｏｍ」のクッキーの項目「ｋｅｙ０１」の値「ｂｂｂ」と、項目「ｋｅｙ０２」の値「ｅｅｅ」とを端末装置１００に通知することで、ドメインＡのクッキーの値を更新させる。
【００２７】
このように、転送装置１０は、端末装置１００が取得したウェブページと同じドメインのサーバであって、端末装置１００が取得したウェブページとは異なるドメインのクッキーの管理を行う管理サーバ２００のリバースプロキシとして動作する。この結果、転送装置１０は、サードパーティークッキーの設定を受付けていない端末装置１００から、サードパーティークッキーの管理を行う管理サーバ２００にクッキーの値を伝えることができるので、サードパーティークッキーを用いた利用者の認証やサービスの提供等を実現することができる。また、転送装置１０は、サードパーティークッキーの設定を受付けていない端末装置１００が保持するクッキーの値を、サードパーティークッキーの管理を行う管理サーバ２００が発行したクッキーの値に更新することができるので、サードパーティークッキーを用いた利用者の認証やサービスの提供等を継続することができる。
【００２８】
〔１−２．転送装置のドメインについて〕
ここで、上述した例では、ウェブページを配信する配信サーバ１１０と、転送装置１０とが異なる例について記載したが、実施形態は、これに限定されるものではない。例えば、クッキーに含まれるドメインの値をウェブページのＵＲＬと同一にした場合には、上述した転送処理を、配信サーバ１１０が実行することとなる。
【００２９】
一方、図１に示すように、配信サーバ１１０と転送装置１０とを異なる装置で実現する場合、転送装置１０には、ドメインＡに含まれるサブドメインであって、配信サーバ１１０が配信するウェブページとは異なる所定のサブドメインが付与されることとなる。すなわち、転送装置１０には、配信サーバ１１０と同じドメインに含まれるサブドメインとして、管理サーバ２００に値を転送するクッキー（すなわち、サードパーティークッキー）専用のサブドメインが設定される。この結果、配信サーバ１１０は、ドメインＡに含まれるサブドメインのうち、転送装置１０に設定したサブドメインのクッキーを使用するタグをウェブページに埋め込むことで、端末装置１００がサードパーティークッキーの設定を受付けていない場合にも、サードパーティークッキーの使用を実現することができる。
【００３０】
〔１−３．転送するクッキーの値について〕
ここで、転送装置１０は、端末装置１００から受付けたクッキーの値をそのまま管理サーバ２００に送信してもよく、他の値を送信してもよい。例えば、転送装置１０は、第１ドメインのクッキーの値と、第２ドメインのクッキーの値とを対応付けたテーブルを用いて、端末装置１００から受付けたクッキーの値に対応する第２ドメインのクッキーの値を特定し、特定した値を管理サーバ２００に送信してもよい。すなわち、転送装置１０は、端末装置１００から受付けたクッキーに基づく情報を、第２ドメインのクッキーとして管理サーバ２００に送信するのであれば、任意の情報を送信してもよい。
【００３１】
また、転送装置１０は、端末装置１００から受付けたクッキーの値のうち、予め定められた任意の項目の値に基づく情報を管理サーバ２００に送信してもよい。例えば、転送装置１０は、管理サーバ２００が利用者の識別を実行する場合には、端末装置１００から受付けたクッキーの値のうち、管理サーバ２００が端末装置１００を使用する利用者を識別するための項目の値を管理サーバ２００に送信してもよい。
【００３２】
また、端末装置１００には、端末装置１００を使用する利用者を識別するために、様々なベンダーが様々なドメインで発行したクッキーの値が保持される場合がある。そこで、転送装置１０は、利用者を識別する値としてそれぞれ異なるドメインのクッキーの値を統合するか否かを示す項目の値を送信してもよい。また、転送装置１０は、端末装置１００に対して広告を提供する回数や、ドメインＡのクッキーの使用を端末装置１００に指示するタグを実行した回数を管理サーバ２００が計測するための項目の値を送信してもよい。また、転送装置１０は、端末装置１００に対して提供される情報を指定する項目の値、または、端末装置１００に対して提供されない情報を指定する項目の値、すなわち、所謂オプトイン／オプトアウトを示す値を管理サーバ２００に送信してもよい。
【００３３】
なお、各クッキーに含まれる項目名は、クッキーを管理する管理サーバ２００やクッキーを用いたサービスを提供するベンダー等によって自由に設定可能である。そこで、転送装置１０には、管理サーバ２００に対して転送されるクッキーの値の項目名が予め設定されていてもよい。
【００３４】
〔１−４．転送するクッキーの値とサブドメインとの関係について〕
ここで、転送装置１０は、配信サーバ１１０が配信するウェブページと同じドメインに含まれるサブドメインであれば、任意のサブドメインが設定可能である。そこで、複数の転送装置１０のそれぞれに対し、各転送装置１０が転送するクッキーの値と対応するサブドメインが設定されていてもよい。このような設定が行われた場合、各転送装置１０は、それぞれ異なるクッキーの値を管理サーバ２００に送信することとなるため、サードパーティークッキーを用いたサービスを、クッキーの項目の値ごとに制御することができる。
【００３５】
〔１−５．クッキーの生成について〕
ここで、転送装置１０がクッキーの値を管理サーバ２００に転送した際に、管理サーバ２００に対応するクッキーが管理されていない場合には、クッキーの新規発行が実行されることとなる。このような場合においても、転送装置１０は、管理サーバ２００のリバースプロキシとして動作してもよい。
【００３６】
例えば、端末装置１００は、ドメインＡのクッキーを使用するタグが埋め込まれたウェブページの配信を受付けた際に、そのクッキーの値を保持していない場合には、ドメインＡで発行されるクッキーの発行要求を転送装置１０に送信する。このような場合、転送装置１０は、ドメインＢで発行されるクッキーの発行要求を管理サーバ２００に送信する。この結果、管理サーバ２００は、ドメインＢで新たなクッキーを発行し、クッキーの値を転送装置１０に送信する。すると、転送装置１０は、ドメインＢで新たに発行されたクッキーの値を、ドメインＡで新たに発行されたクッキーの値として、端末装置１００に送信する。この結果、端末装置１００は、端末装置１００がサードパーティークッキーの設定を受付けていない場合にも、サードパーティークッキーを用いたサービスの提供を開始することができる。
【００３７】
〔２．転送装置の構成〕
以下、上記した転送処理を実現する転送装置１０が有する機能構成の一例について説明する。図２は、実施形態に係る転送装置の構成例を示す図である。図２に示すように、転送装置１０は、通信部２０、記憶部３０、および制御部４０を有する。
【００３８】
通信部２０は、例えば、ＮＩＣ（Network  Interface  Card）等によって実現される。そして、通信部２０は、ネットワークＮと有線または無線で接続され、端末装置１００や管理サーバ２００との間で情報の送受信を行う。
【００３９】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、ドメインテーブル３１、および転送テーブル３２を記憶する。
【００４０】
以下、図３、図４を用いて、ドメインテーブル３１および転送テーブル３２に登録される情報の一例について説明する。まず、図３を用いて、ドメインテーブル３１に登録される情報の一例について説明する。図３は、実施形態に係るドメインテーブルに登録される情報の一例を説明する図である。例えば、ドメインテーブル３１には、図３に示すように、「受付ドメイン」および「送信ドメイン」といった項目を有する情報が登録されている。ここで、「受付ドメイン」は、端末装置１００から値を受付けるクッキードメイン、すなわち、ドメインＡを示す情報である。また、「送信ドメイン」は、対応付けられたドメインＡのクッキーの値を送信する管理サーバ２００のドメイン、すなわちドメインＢを示す値である。
【００４１】
例えば、図３に示す例では、受付ドメイン「ｓｕｂ１．ｄｏｍａｉｎＡ．ｃｏｍ」と、送信ドメイン「ｓｕｂ１．ｄｏｍａｉｎＢ．ｃｏｍ」とが対応付けて登録されている。かかる場合、転送装置１０は、「Ｄｏｍａｉｎ：ｓｕｂ１．ｄｏｍａｉｎＡ．ｃｏｍ」のクッキーの値を、「Ｄｏｍａｉｎ：ｓｕｂ１．ｄｏｍａｉｎＢ．ｃｏｍ」のクッキーの値として、管理サーバ２００に送信することとなる。
【００４２】
図２に戻り、説明を続ける。転送テーブル３２には、値の転送を行ったクッキーに関する情報が登録されている。例えば、図４は、実施形態に係る転送テーブルに登録される情報の一例を示す図である。図４に示す例では、転送テーブル３２には、「端末ＩＤ（Identifier）」、「受付クッキー」、「送信クッキー」といった項目を有する情報が登録されている。「端末ＩＤ」とは、クッキーの値の受付元となる端末装置１００を識別するための情報である。また、「受付クッキー」とは、対応付けられた端末ＩＤが示す端末装置１００から受付けたクッキーの内容である。また、「送信クッキー」とは、管理サーバ２００が端末装置１００に対して発行したクッキー、すなわち、サードパーティークッキーの内容である。
【００４３】
例えば、転送テーブル３２には、端末ＩＤ「ＩＤ１」、受付クッキー「ｄｏｍａｉｎ：ｓｕｂ１．ｄｏｍａｉｎＡ．ｃｏｍ  ｎａｍｅ：ｕｓｅｒ１」、および送信クッキー「ｄｏｍａｉｎ：ｓｕｂ１．ｄｏｍａｉｎＢ．ｃｏｍ  ｎａｍｅ：ｕｓｅｒ１」とが対応付けて登録されている。かかる情報は、管理サーバ２００から、「ｄｏｍａｉｎ：ｓｕｂ１．ｄｏｍａｉｎＢ．ｃｏｍ」のクッキーの項目「ｎａｍｅ」の値「ｕｓｅｒ１」を受付けた場合は、「ｄｏｍａｉｎ：ｓｕｂ１．ｄｏｍａｉｎＡ．ｃｏｍ」のクッキーの項目「ｎａｍｅ」の値として、「ｕｓｅｒ１」を端末ＩＤ「ＩＤ１」が示す端末装置１００に送信した旨を示す。
【００４４】
図２に戻って、説明を続ける。制御部４０は、コントローラ（controller）であり、例えば、ＣＰＵ（Central  Processing  Unit）、ＭＰＵ（Micro  Processing  Unit）等のプロセッサによって、転送装置１０内部の記憶装置に記憶されている各種プログラムがＲＡＭ等を作業領域として実行されることにより実現される。また、制御部４０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００４５】
図２に示すように、制御部４０は、受付部４１、送信部４２、受信部４３、および通知部４４を有する。受付部４１は、ドメインＡのクッキーを端末装置１００から受付ける。より具体的には、転送装置１０には、配信サーバ１１０が配信するウェブページと同じドメインのＵＲＬが付与されている。このような場合、受付部４１は、ドメインＡのクッキーを使用するタグが埋め込まれたウェブページであって、ドメインＡを含むＵＲＬによって指定されるウェブページの配信を受付けた端末装置１００から、クッキーの値を受付ける。このように、クッキーの値を受付けた場合、受付部４１は、クッキーが発行されたドメインやクッキーの値を受付クッキーとし、クッキーの値の送信元となる端末装置１００の端末ＩＤと対応付けて転送テーブル３２に登録する。
【００４６】
なお、受付部４１は、ドメインＡに含まれる所定のサブドメインのクッキーの値を端末装置１００から受付けることとなる。また、受付部４１は、端末装置１００にクッキーが発行されていない場合には、端末装置１００から、ドメインＡのクッキーの発行要求を受付けることとなる。
【００４７】
送信部４２は、ドメインＢのクッキーを管理する管理サーバ２００に対し、ドメインＢのクッキーの値として、端末装置１００から受付けた値、すなわち、受付部４１が受け付けたクッキーの値を送信する。例えば、送信部４２は、受付部４１がドメインＡのクッキーの値を受付けると、ドメインテーブル３１を参照し、受付ドメインの中から、ドメインＡを検索する。そして、送信部４２は、検索したドメインＡと対応付けられた送信ドメイン（例えば、ドメインＢ）を特定し、特定したドメインのクッキーの値として、送信ドメインが示す管理サーバ２００へ、受付部４１が受け付けたクッキーの値を送信する。
【００４８】
また、送信部４２は、端末装置１００から受付けたクッキーの値を含むクッキーであって、ドメインテーブル３１から特定した送信ドメインを発行元ドメインとするクッキーを生成し、送信クッキーとして、端末装置１００の端末ＩＤと対応付けて転送テーブル３２に登録する。後述するように、このような転送テーブル３２に登録された受付クッキーや送信クッキーは、管理サーバ２００から受付けた値を、どの端末装置１００に対し、どのクッキーの値として通知するかを示すための指標となる。
【００４９】
ここで、送信部４２は、受付部４１が端末装置１００から受付けた全てのクッキーの値を管理サーバ２００に送信してもよく、端末装置１００から受付けたクッキーの値のうち、予め定められた所定の項目の値を、管理サーバ２００に対して送信してもよい。例えば、送信部４２は、管理サーバ２００が端末装置１００を使用する利用者を識別するための項目の値を管理サーバ２００に送信しても良く、利用者を識別する値としてそれぞれ異なるドメインのクッキーの値を統合するか否かを示す項目の値を送信してもよい。また、送信部４２は、端末装置１００に対して広告を提供する回数や、ドメインＡのクッキーの使用を端末装置１００に指示するタグを実行した回数を管理サーバ２００が計測するための項目の値を送信してもよい。また、送信部４２は、端末装置１００に対して提供される情報を指定する項目の値、または、端末装置１００に対して提供されない情報を指定する項目の値を管理サーバ２００に送信してもよい。
【００５０】
なお、送信部４２は、受付部４１が、ドメインＡのクッキーの発行要求を受付けた場合には、ドメインＢのクッキーの発行要求を管理サーバ２００に送信することとなる。また、例えば、送信部４２は、同一のドメインに含まれる複数のサブドメインのそれぞれに対し、異なるドメインの送信ドメインが対応付けてドメインテーブル３１に登録されている場合には、受信したクッキーのサブドメインに応じた管理サーバ２００に対して、クッキーの値を出し分けることとなる。
【００５１】
受信部４３は、管理サーバ２００から、ドメインＢのクッキーの新たな値を受信する。このような場合、受信部４３は、転送テーブル３２を参照し、新たに受信したクッキーの値が、どの端末装置１００が使用するどのクッキーの新たな値であるかを特定する。すなわち、受信部４３は、受信したクッキーをどのドメインのクッキーの値として通知するかを特定する。そして、受信部４３は、特定結果を通知部４４に出力する。
【００５２】
なお、受信部４３は、送信部４２がドメインＢのクッキーの発行要求を送信した場合には、管理サーバ２００が新たに発行したクッキーを受信することとなる。このような場合、受信部４３は、受信したクッキーの内容を送信クッキーとして転送テーブル３２に登録するとともに、受信したクッキーを通知部４４に出力する。
【００５３】
通知部４４は、管理サーバ２００から受信した値を、ドメインＡのクッキーの値として端末装置１００に通知し、端末装置１００が保持するクッキーの値を更新させる。例えば、通知部４４は、管理サーバ２００から新たに受信したクッキーの値が、どの端末装置１００が使用するどのクッキーの新たな値であるかを示す特定結果を受付ける。このような場合には、通知部４４は、管理サーバ２００から受付けたクッキーの値を、特定された端末装置１００に対し、特定されたクッキーの新たな値、すなわち、ドメインＡのクッキーの新たな値として通知する。この結果、端末装置１００は、管理サーバ２００によって発行されたクッキーの値を、ドメインＡのクッキーの値として受信するので、サードパーティークッキーの設定を受付けていない場合であっても、クッキーの値の更新を実現できる。
【００５４】
なお、通知部４４は、管理サーバ２００が新たに発行したクッキーを受信した場合には、ドメインＡのクッキーの値として、管理サーバ２００から受信したクッキーに基づく情報、例えば、管理サーバ２００から受信したクッキーの値を端末装置１００に送信する。この結果、端末装置１００は、ドメインＢのクッキーを、ドメインＡのクッキーとして記憶するので、サードパーティークッキーの設定を受付けていない場合であっても、クッキーを使用することができる。
【００５５】
〔３．ベンダークッキーの同期について〕
ここで、転送装置１０は、複数のベンダーが端末装置１００の利用者を識別するために発行したクッキーを同期させる処理を実行してもよい。より具体的には、転送装置１０は、ドメインＡのクッキーとして、端末装置１００を使用する利用者を識別するクッキーとしてそれぞれ異なる発行元から発行されたクッキーを受付ける。このような場合、転送装置１０は、同じ利用者を識別するクッキーを紐付けて管理する同期サーバ２２０に対し、受付けた各クッキーに基づく情報を、ドメインＢのクッキーとして送信してもよい。
【００５６】
例えば、図５は、転送装置が複数のクッキーを同期させる処理の一例を示す図である。図５に示す端末装置１００は、管理サーバ２００と同様の処理を実行する管理サーバ２１０と、同一の利用者に対してそれぞれ異なるベンダーによって発行された複数のクッキーを紐付けて管理する同期サーバ２２０と通信可能である。また、端末装置１００は、端末装置１００の利用者である利用者Ｕ０１に対し、独自のクッキーを発行するベンダーサーバ１２０と通信可能である。ここで、図５中（Ａ）に示すように、端末装置１００が取得するウェブページには、各ベンダーが発行したクッキーＩＤを同期させるためのタグが埋め込まれているものとする。また、端末装置１００は、図５中（Ｂ）に示すように、配信サーバ１１０が配信するウェブページと同じドメインＡのクッキーを利用し、図５中（Ｃ）に示すように、管理サーバ２１０や同期サーバ２２０は、ドメインＢのクッキーを利用するものとする。
【００５７】
例えば、配信サーバ１１０は、ドメインＡで発行されたクッキーを用いるタグが埋め込まれたウェブページであって、ドメインＡを含むＵＲＬのウェブページを配信する（ステップＳ１１）。このような場合、配信サーバ１１０は、ドメインＡが示すサーバ、すなわち、転送装置１０にアクセスする（ステップＳ１２）。このような場合、転送装置１０は、ドメインＢで発行されたクッキーを管理するサーバ、すなわち、管理サーバ２１０にアクセスする（ステップＳ１３）。すると、管理サーバ２１０は、転送装置１０に対し、ドメインＢでクッキーを発行する（ステップＳ１４）。すると、転送装置１０は、管理サーバ２１０によって発行されたクッキーの値をドメインＡのクッキーの値とし（ステップＳ１５）、端末装置１００に通知するとともに、ベンダーサーバ１２０へのリダイレクトを送信する（ステップＳ１６）。
【００５８】
このような場合、端末装置１００は、各ベンダーのエンドポイントであるベンダーサーバ１２０にアクセスし（ステップＳ１７）、ベンダーサーバ１２０からベンダークッキーＩＤをパラメータとして取得する（ステップＳ１８）。なお、端末装置１００は、図示を省略した他のベンダーサーバからも、ベンダークッキーＩＤを取得してよい。そして、端末装置１００は、取得したベンダークッキーＩＤをパラメータとして、ドメインＡのクッキーと同時に転送装置１０に送信する（ステップＳ１９）。
【００５９】
一方、転送装置１０は、ベンダークッキーＩＤをパラメータとしてドメインＡのクッキーと同時に受信すると、受信したドメインＡのクッキーの値をドメインＢのクッキーの値とし、ベンダークッキーＩＤをパラメータとして、ドメインＢのクッキーと同時に同期サーバ２２０に対して送信する（ステップＳ２０）。この結果、同期サーバ２２０は、利用者Ｕ０１に対してベンダーサーバ１２０が発行したベンダークッキーＩＤを収集し、収集したベンダークッキーＩＤを紐付けて管理することで、利用者Ｕ０１に対して発行されたクッキーを同期させることができる。その後、同期サーバ２２０は、ドメインＢで応答を転送装置１０に送信し（ステップＳ２１）、転送装置１０は、ドメインＡで応答を端末装置１００に送信する（ステップＳ２２）。
【００６０】
なお、端末装置１００とベンダーサーバ１２０との間の通信についても、転送装置１０と同様の転送処理を実行するプロキシサーバを利用してもよい。例えば、転送装置１０は、このようなプロキシサーバとして動作する場合には、ドメインＡのクッキーとして、端末装置１００からベンダークッキーＩＤの要求を受付けると、ベンダーサーバ１２０が使用するドメインのクッキーとして、ベンダークッキーＩＤの要求をベンダーサーバ１２０に送信する。そして、転送装置１０は、ベンダーサーバ１２０からベンダークッキーＩＤを受信した場合には、受信したベンダークッキーＩＤを、ドメインＡのクッキーの値として、端末装置１００に送信してもよい。このような処理を実行することで、転送装置１０は、端末装置１００に配信されるウェブページのドメインと、ベンダーサーバ１２０のドメインとが異なる場合にも、ベンダークッキーＩＤの同期を実現することができる。
【００６１】
〔４．転送装置１０の処理フロー〕
次に、図６を用いて、転送装置１０が実行する処理の手順の一例について説明する。図６は、実施形態に係る転送装置が実行する転送処理の流れの一例を示すフローチャートである。例えば、転送装置１０は、端末装置１００から第１のドメインで発行されたクッキーを受付ける（ステップＳ１０１）。このような場合、転送装置１０は、受け付けたドメインのクッキーと対応付けられた第２のドメインを特定し（ステップＳ１０２）、第２のドメインのクッキーを用いたサービスを管理する管理サーバ２００に、端末装置１００から受付けたクッキーに基づく情報（例えば、受付けたクッキーの値）を、第２のドメインのクッキーとして送信する（ステップＳ１０３）。
【００６２】
また、転送装置１０は、管理サーバ２００から新たなクッキーの値を受信すると（ステップＳ１０４）、受信したクッキーの値を、第１のドメインで発行されたクッキーの値として、端末装置１００に通知し（ステップＳ１０５）、処理を終了する。
【００６３】
〔５．変形例〕
上記では、転送装置１０による転送処理の一例について説明した。しかしながら、実施形態は、これに限定されるものではない。以下、転送装置１０が実行する転送処理のバリエーションについて説明する。
【００６４】
〔５−１．クッキーを用いたサービスの制御について〕
上述した端末装置１００は、ウェブページ内に埋め込まれたタグに従って、ドメインＡのクッキーを１つの転送装置１０へと送信した。しかしながら、実施形態は、これに限定されるものではない。例えば、端末装置１００は、利用者Ｕ０１に対する課金態様や、端末装置１００の種別、ブラウザの種別等に応じて、異なる転送装置にクッキーを送信してもよい。
【００６５】
例えば、図７は、複数の転送装置にクッキーを出し分ける処理の一例を示す図である。例えば、端末装置１００は、ドメインＡに含まれるＵＲＬのウェブページを取得する。一方、図７中（Ａ）に示すタグには、利用者Ｕ０１の属性や端末装置１００の属性に応じて、ドメインＡに含まれるサブドメインであって、それぞれ異なるサブドメインが設定された転送装置１０ａ、１０ｂのいずれかに対し、クッキーの値を送信する旨の指示が含まれている。
【００６６】
例えば、図７に示す例では、転送装置１０ａに対し、サブドメイン「ｓｕｂ１」を含むドメイン「ｓｕｂ１．ｄｏｍａｉｎＡ．ｃｏｍ」が付与されており、転送装置１０ｂに対し、サブドメイン「ｓｕｂ２」を含むドメイン「ｓｕｂ２．ｄｏｍａｉｎＡ．ｃｏｍ」が付与されている。そして、端末装置１００は、取得したウェブページに埋め込まれたタグに従って、クッキーを転送装置１０ａまたは転送装置１０ｂに送信する。
【００６７】
例えば、端末装置１００は、利用者Ｕ０１の属性や端末装置１００の属性が所定の条件を満たす場合には、ドメインＡのクッキーの値をサブドメインが「ｓｕｂ１」である転送装置１０ａへと送信する（ステップＳ３０）。このような場合、転送装置１０ａは、転送装置１０と同様に、受付けたクッキーの値を、ドメインＢのクッキーの値として、管理サーバ２００に送信する（ステップＳ３１）。
【００６８】
一方、端末装置１００は、利用者Ｕ０１の属性や端末装置１００の属性が所定の条件を満たさない場合には、ドメインＡのクッキーの値をサブドメインが「ｓｕｂ２」である転送装置１０ｂへと送信する（ステップＳ３２）。このような場合、転送装置１０ｂは、転送装置１０と同様に、受付けたクッキーの値を、ドメインＢのクッキーの値として、管理サーバ２００に送信する（ステップＳ３３）。なお、転送装置１０ａ、１０ｂは、管理サーバ２００からドメインＢのクッキーの値を受信した場合には、ドメインＡのクッキーの値として、受信したクッキーの値を端末装置１００に通知する。
【００６９】
このように、各転送装置１０ａ、１０ｂには、端末装置１００に配信されるウェブページと同じドメインであって、それぞれ異なるサブドメインが付与されていてもよい。このような場合、各転送装置１０ａ、１０ｂには、利用者Ｕ０１に対して提供されるサービスの内容に応じて出し分けが行われたクッキーが送信されるので、例えば、処理分散や料金体系に応じた処理の出し分け等を実現することができる。
【００７０】
なお、各転送装置１０ａ、１０ｂは、それぞれ異なる管理サーバ２００に対して、クッキーの送信を行ってもよい。また、例えば、１つの転送装置１０が、複数の管理サーバ２００に対して、クッキーの出し分けを行ってもよい。より具体的には、転送装置１０は、クッキーの送信先となる管理サーバ２００ａ、２００ｂが存在する場合には、端末装置１００から受信したクッキーのサブドメインに応じた管理サーバ２００ａ、２００ｂに対して、クッキーに基づく情報を送信してもよい。例えば、図８は、複数の管理サーバにクッキーの出し分けを行う処理の一例を示す図である。
【００７１】
図８に示す例では、転送装置１０には、ドメインＡに含まれる２つの異なるサブドメインを含むドメイン「ｓｕｂ１．ｄｏｍａｉｎＡ．ｃｏｍ」、「ｓｕｂ２．ｄｏｍａｉｎＡ．ｃｏｍ」が付与されている。また、転送装置１０は、ドメインＢ（「ｓｕｂ．ｄｏｍａｉｎＢ．ｃｏｍ」）で発行されたクッキーを管理する管理サーバ２００ａと、ドメインＣ（「ｓｕｂ．ｄｏｍａｉｎＣ．ｃｏｍ」）で発行されたクッキーを管理する管理サーバ２００ｂと通信可能である。一方、端末装置１００ａには、ドメイン「ｓｕｂ１．ｄｏｍａｉｎＡ．ｃｏｍ」で発行されたクッキーを送信する旨のタグが含まれるウェブページが配信され、端末装置１００ｂには、ドメイン「ｓｕｂ２．ｄｏｍａｉｎＡ．ｃｏｍ」で発行されたクッキーを送信する旨のタグが含まれるウェブページが配信されたものとする。
【００７２】
このような場合、転送装置１０は、端末装置１００ａ、１００ｂから、それぞれ異なるサブドメインのクッキーの値を受信することとなる。このような場合、転送装置１０は、サブドメインごとに異なる管理サーバ２００ａ、２００ｂに対して、クッキーの値を送信することとなる。例えば、転送装置１０は、端末装置１００ａ、ｂから、「ｓｕｂ１．ｄｏｍａｉｎＡ．ｃｏｍ」のクッキーの値を受信した場合（ステップＳ４０、Ｓ４１）、受信したクッキーの値をドメインＢのクッキーの値として、管理サーバ２００ａへと送信する（ステップＳ４２）。一方、転送装置１０は、端末装置１００ａ、ｂから、「ｓｕｂ２．ｄｏｍａｉｎＡ．ｃｏｍ」のクッキーの値を受信した場合、受信したクッキーの値をドメインＣのクッキーの値として、管理サーバ２００ｂへと送信する（ステップＳ４３）。
【００７３】
すなわち、転送装置１０は、端末装置１００から受信したクッキーが発行されたドメインに含まれるサブドメインの値に応じて、異なるドメインでクッキーを管理する管理サーバ２００に対し、受信したクッキーの値を対応するドメインのクッキーとして送信してもよい。この結果、転送装置１０は、利用者の属性や端末装置１００の属性に応じたサービスの制御やベンダーの出し分け等を容易に行うことができる。例えば、転送装置１０は、利用者Ｕ０１、Ｕ０２が加入する料金体系に応じて、クッキーの値を管理サーバ２００ａ、２００ｂに出し分けてもよい。
【００７４】
なお、転送装置１０は、端末装置１００がサードパーティークッキーの設定を受付けるか否かに応じて、クッキーの出し分けを行ってもよい。例えば、端末装置１００に配信されるウェブページには、端末装置１００がサードパーティークッキーの設定を受付ける場合には、管理サーバ２００に直接クッキーの値を送信し、端末装置１００がサードパーティークッキーの設定を受付けない場合には、転送装置１０にクッキーの値を送信する旨のタグが埋め込まれていてもよい。このような場合、転送装置１０は、サードパーティークッキーの設定を受付けない端末装置１００のクッキーのみを中継するので、サードパーティークッキーの設定を受付ける他の端末装置のパフォーマンスを保持することができる。
【００７５】
〔５−２．ログの保持について〕
また、転送装置１０は、端末装置１００から受付けたクッキーのログや、管理サーバ２００に送信したクッキーのログを保持してもよい。このようなログを保持した場合には、例えば、どのようなタグについて転送処理を行う必要があるか、どのような日時に、転送処理を実行するためのリソースが増大したか等を特定することができる。
【００７６】
〔５−３．装置構成〕
なお、転送装置１０は、任意の数の端末装置１００と通信可能に接続されていてもよく、任意の数の管理サーバ２００と通信可能に接続されていてもよい。また、例えば、端末装置１００から送信されるクッキーは、ロードバランサにより、同一のドメインやサブドメインが設定された複数の転送装置１０のいずれかに対して伝達されてもよく、各転送装置１０のドメインテーブル３１や転送テーブル３２は、同期が行われてもよい。
【００７７】
また、例えば、端末装置１００とやり取りするクッキーの項目ごとに、異なるサブドメインが設定された複数の転送装置１０が存在する場合には、各転送装置１０は、ドメインテーブル３１や転送テーブル３２を有さずともよい。すなわち、転送装置１０は、端末装置１００から受付けたクッキーの値を、所定のドメインのクッキーの値として管理サーバ２００に送信するのであれば、各種テーブルを用いずとも、上述した転送処理を実現可能である。
【００７８】
〔５−４．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００７９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示した受付部４１と受信部４３とは、統合されてもよい。また、図２に示した送信部４２と通知部４４とは、統合されてもよい。
【００８０】
また、上記してきた各実施形態は、処理内容を矛盾させない範囲で適宜組み合わせることが可能である。
【００８１】
〔５−５．プログラム〕
また、上述してきた実施形態に係る端末装置１００は、例えば図９に示すような構成のコンピュータ１０００によって実現される。図９は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００８２】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【００８３】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００８４】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００８５】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００８６】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００８７】
例えば、コンピュータ１０００が端末装置１００として機能する場合、コンピュータ１０００の演算装置１０３０は、一次記憶装置１０４０上にロードされたプログラムを実行することにより、制御部４０の機能を実現する。
【００８８】
〔６．効果〕
上述したように、転送装置１０は、ドメインＡのクッキーを端末装置１００から受付けると、ドメインＢのクッキーを管理する管理サーバ２００に対し、ドメインＢのクッキーとして、端末装置１００から受付けたクッキーに基づく情報を送信する。例えば、転送装置１０は、端末装置１００から受付けたドメインＡのクッキーの値を、ドメインＢのクッキーの値として、管理サーバ２００に送信する。
【００８９】
この結果、転送装置１０は、端末装置１００が取得したウェブページと同じドメインのサーバであって、端末装置１００が取得したウェブページとは異なるドメインのクッキーの管理を行う管理サーバ２００のリバースプロキシとして動作することができる。このため、転送装置１０は、端末装置１００がサードパーティークッキーの設定を受付けていない場合にも、サードパーティークッキーの管理を行う管理サーバ２００に、端末装置１００のクッキーの値を伝えることができる。この結果、転送装置１０は、端末装置１００がサードパーティークッキーの設定を受付けていない場合にも、利用者の識別や、利用者が閲覧したウェブページの履歴等に基づく広告配信等、サードパーティークッキーを用いたサービスを提供できる。また、転送装置１０は、端末装置１００側からは、端末装置１００とは異なるドメインでクッキーを管理する管理サーバ２００を隠すことができるので、端末装置１００の利用者に安心感を与えることができる。
【００９０】
また、転送装置１０は、管理サーバ２００から、ドメインＢの新たなクッキーを受信すると、ドメインＡで発行された新たなクッキーとして、管理サーバ２００から受信したクッキーに基づく情報を端末装置１００に通知する。例えば、転送装置１０は、管理サーバ２００から受信したクッキーの値を、ドメインＡの新たなクッキーの値として端末装置１００に通知する。この結果、転送装置１０は、端末装置１００がサードパーティークッキーの設定を受付けていない場合にも、サードパーティークッキーの値の更新を実現することができる。
【００９１】
また、転送装置１０は、クッキーの送信先となる管理サーバ２００ａ、２００ｂが存在する場合には、第１ドメインに含まれるサブドメインのうち、端末装置１００から受信したクッキーのサブドメインに応じた管理サーバ２００ａ、２００ｂに対して、クッキーに基づく情報を送信する。例えば、転送装置１０は、端末装置１００から受信したクッキーのサブドメインが「ｓｕｂ１」である場合には、ドメインＢのクッキーとして、受信したクッキーの値を管理サーバ２００ａに送信し、端末装置１００から受信したクッキーのサブドメインが「ｓｕｂ２」である場合には、ドメインＣのクッキーとして、受信したクッキーの値を管理サーバ２００ｂに送信する。このため、転送装置１０は、クッキーの転送先の出し分けを実現することができる。
【００９２】
また、転送装置１０は、端末装置１００から受付けたクッキーのうち、予め定められた所定の項目の値を、管理サーバ２００に対して送信する。例えば、転送装置１０は、端末装置１００から受付けたクッキーのうち、端末装置１００を使用する利用者を識別する項目の値を送信する。また、転送装置１０は、端末装置１００から受付けたクッキーのうち、端末装置１００を使用する利用者を識別する値としてそれぞれ異なるドメインのクッキーの値を統合するか否かを示す項目の値を送信する。また、転送装置１０は、端末装置１００から受付けたクッキーのうち、端末装置１００に対して広告を提供する回数や、ドメインＡのクッキーの使用を端末装置１００に指示するタグを実行した回数を計測するための項目の値を送信する。また、転送装置１０は、端末装置１００から受付けたクッキーのうち、端末装置１００に対して提供される情報、または、端末装置１００に対して提供されない情報を指定する項目の値を送信する。
【００９３】
このように、転送装置１０は、クッキーに含まれる任意の値を端末装置１００から受信し、受信した値を管理サーバ２００に送信することができる。このため、端末装置１００は、端末装置１００がサードパーティークッキーの設定を受付けていない場合にも、サードパーティークッキーを用いた各種サービスの適用を実現できる。
【００９４】
また、転送装置１０は、ドメインＡのクッキーとして、端末装置１００を使用する利用者を識別する値としてそれぞれ異なる発行元から発行されたクッキーを受付ける。そして、転送装置１０は、同じ利用者を識別するクッキーを紐付けて管理する同期サーバ２２０に対し、同期サーバ２２０が使用するドメインのクッキーとして、端末装置１００から受付けたクッキーに基づく情報を送信する。このため、転送装置１０は、端末装置１００がサードパーティークッキーの設定を受付けていない場合にも、各ベンダーが端末装置１００に付与したベンダークッキーを紐付けることができる。
【００９５】
また、転送装置１０は、ドメインＡのクッキーを送信するタグが埋め込まれたウェブページであって、ドメインＡを含むＵＲＬによって指定されるウェブページの配信を受付けた端末装置１００から、クッキーを受付ける。より具体的には、転送装置１０は、ウェブページとは異なるドメインの転送装置にクッキーを送信せず、ウェブページと同じドメインの転送装置にクッキーを送信する端末装置１００、すなわち、サードパーティークッキーの設定を受付けない端末装置１００からクッキーを受付ける。このため、転送装置１０は、端末装置１００がサードパーティークッキーの設定を受付けていない場合にも、サードパーティークッキーを用いた各種サービスの適用を実現できる。
【００９６】
また、転送装置１０は、端末装置１００からドメインＡのクッキーの発行要求を受付けると、ドメインＢのクッキーを管理する管理サーバ２００に対し、ドメインＢのクッキーの発行要求を送信する。そして、転送装置１０は、管理サーバ２００からドメインＢで発行されたクッキーを受信した場合には、ドメインＡのクッキーとして、管理サーバ２００から受信したクッキーに基づく情報を端末装置１００に通知する。このため、転送装置１０は、端末装置１００がサードパーティークッキーの設定を受付けていない場合にも、サードパーティークッキーを用いた各種サービスの適用を開始できる。
【００９７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００９８】
また、上記してきた「部（section、module、unit）」は、「手段」や「回路」などに読み替えることができる。例えば、配信部は、配信手段や配信回路に読み替えることができる。
【符号の説明】
【００９９】
１０  転送装置
２０  通信部
３０  記憶部
３１  ドメインテーブル
３２  転送テーブル
４０  制御部
４１  受付部
４２  送信部
４３  受信部
４４  通知部
１００、１００ａ、１００ｂ  端末装置
１１０  配信サーバ
１２０  ベンダーサーバ
２００、２００ａ、２００ｂ、２１０  管理サーバ
２２０  同期サーバ
【図１】
2017194843.tif 000003
【図２】
2017194843.tif 000004
【図３】
2017194843.tif 000005
【図４】
2017194843.tif 000006
【図５】
2017194843.tif 000007
【図６】
2017194843.tif 000008
【図７】
2017194843.tif 000009
【図８】
2017194843.tif 000010
【図９】
2017194843.tif 000011
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
第１ドメインのクッキーを情報処理装置から受付ける受付部と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信部と
を有することを特徴とする転送装置。
【請求項２】
第１ドメインのクッキーを情報処理装置から受付ける受付部と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信部と
を有することを特徴とする転送装置。
【請求項３】
第１ドメインのクッキーを情報処理装置から受付ける受付部と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信部と
を有することを特徴とする転送装置。
【請求項４】
第１ドメインのクッキーを情報処理装置から受付ける受付部と、
第２ドメインのクッキーを管理するサーバ装置に対し、前記第２ドメインのクッキーとして、前記情報処理装置から受付けたクッキー前記情報処理装置に対して提供される情報、または、前記情報処理装置に対して提供されない情報を指定する項目の値を送信する送信部と
を有することを特徴とする転送装置。
【請求項５】
前記サーバ装置から、前記第２ドメインの新たなクッキーを受信する受信部と、
前記第１ドメインで発行された新たなクッキーとして、前記サーバ装置から受信したクッキーに基づく情報を前記情報処理装置に通知する通知部と
を有することを特徴とする請求項１〜４のうちいずれか１つに記載の転送装置。 
【請求項６】
前記送信部は、前記クッキーの送信先となるサーバ装置が複数存在する場合には、前記第１ドメインに含まれるサブドメインのうち前記情報処理装置から受信したクッキーのサブドメインに応じたサーバ装置に対し、当該サーバ装置が使用するドメインのクッキーとして、前記情報処理装置から受付けたクッキーに基づく情報を送信する
ことを特徴とする請求項１〜５のうちいずれか１つに記載の転送装置。 
【請求項７】
前記受付部は、前記第１ドメインのクッキーとして、前記情報処理装置を使用する利用者を識別する値として、それぞれ異なる発行元から発行されたクッキーを受付け、
前記送信部は、同じ利用者を識別するクッキーを紐付けて管理するサーバ装置に対し、当該サーバ装置が使用するドメインのクッキーとして、前記情報処理装置から受付けたクッキーに基づく情報を送信する
ことを特徴とする請求項１〜６のうちいずれか１つに記載の転送装置。 
【請求項８】
前記受付部は、前記第１ドメインのクッキーを送信するタグが埋め込まれたウェブページであって、前記第１ドメインを含むＵＲＬ（Uniform  Resource  Locator）によって指定されるウェブページの配信を受付けた情報処理装置から、前記クッキーを受付ける
ことを特徴とする請求項１〜７のうちいずれか１つに記載の転送装置。 
【請求項９】
前記受付部は、前記情報処理装置として、前記ウェブページとは異なるドメインの転送装置にクッキーを送信せず、前記ウェブページと同じドメインの転送装置にクッキーを送信する情報処理装置から前記クッキーを受付ける
ことを特徴とする請求項８に記載の転送装置。 
【請求項１０】
情報処理装置から第１ドメインのクッキーの発行要求を受付ける受付部と、
前記クッキーの発行要求を受付けた場合には、第２ドメインのクッキーを管理するサーバ装置に対し、当該第２ドメインのクッキーの発行要求を送信する送信部と、
前記サーバ装置から前記第２ドメインで発行されたクッキーを受信した場合には、当該クッキーが発行されたドメインを示す値以外の値を変更せずに、当該クッキーが発行されたドメインの値を第１ドメインを示す値に変更し、当該ドメインを示す値を変更したクッキーを、前記第１ドメインのクッキーとして前記情報処理装置に通知する通知部と
を有することを特徴とする転送装置。 
【請求項１１】
転送装置が実行する転送方法であって、
第１ドメインのクッキーを情報処理装置から受付ける受付工程と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信工程と
を含むことを特徴とする転送方法。 
【請求項１２】
第１ドメインのクッキーを情報処理装置から受付ける受付手順と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信手順と
をコンピュータに実行させるための転送プログラム。
【請求項１３】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信工程と
を含むことを特徴とする転送方法。
【請求項１４】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信手順と
をコンピュータに実行させるための転送プログラム。
【請求項１５】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信工程と
を含むことを特徴とする転送方法。
【請求項１６】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信手順と
をコンピュータに実行させるための転送プログラム。
【請求項１７】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキー前記情報処理装置に対して提供される情報、または、前記情報処理装置に対して提供されない情報を指定する項目の値を送信する送信工程と
を含むことを特徴とする転送方法。
【請求項１８】
第１ドメインのクッキーを情報処理装置から受付ける受付手順と、
第２ドメインのクッキーを管理するサーバ装置に対し、前記第２ドメインのクッキーとして、前記情報処理装置から受付けたクッキー前記情報処理装置に対して提供される情報、または、前記情報処理装置に対して提供されない情報を指定する項目の値を送信する送信手順と
をコンピュータに実行させるための転送プログラム。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
第１ドメインのクッキーを情報処理装置から受付ける受付部と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信部と
を有することを特徴とする転送装置。
【請求項２】
第１ドメインのクッキーを情報処理装置から受付ける受付部と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信部と
を有することを特徴とする転送装置。
【請求項３】
第１ドメインのクッキーを情報処理装置から受付ける受付部と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信部と
を有することを特徴とする転送装置。
【請求項４】
第１ドメインのクッキーを情報処理装置から受付ける受付部と、
第２ドメインのクッキーを管理するサーバ装置に対し、前記第２ドメインのクッキーとして、前記情報処理装置から受付けたクッキーのうち前記情報処理装置に対して提供される情報、または、前記情報処理装置に対して提供されない情報を指定する項目の値を送信する送信部と
を有することを特徴とする転送装置。
【請求項５】
前記サーバ装置から、前記第２ドメインの新たなクッキーを受信する受信部と、
前記第１ドメインで発行された新たなクッキーとして、前記サーバ装置から受信したクッキーに基づく情報を前記情報処理装置に通知する通知部と
を有することを特徴とする請求項１〜４のうちいずれか１つに記載の転送装置。
【請求項６】
前記送信部は、前記クッキーの送信先となるサーバ装置が複数存在する場合には、前記第１ドメインに含まれるサブドメインのうち前記情報処理装置から受信したクッキーのサブドメインに応じたサーバ装置に対し、当該サーバ装置が使用するドメインのクッキーとして、前記情報処理装置から受付けたクッキーに基づく情報を送信する
ことを特徴とする請求項１〜５のうちいずれか１つに記載の転送装置。  
【請求項７】
前記受付部は、前記第１ドメインのクッキーとして、前記情報処理装置を使用する利用者を識別する値として、それぞれ異なる発行元から発行されたクッキーを受付け、
前記送信部は、同じ利用者を識別するクッキーを紐付けて管理するサーバ装置に対し、当該サーバ装置が使用するドメインのクッキーとして、前記情報処理装置から受付けたクッキーに基づく情報を送信する
ことを特徴とする請求項１〜６のうちいずれか１つに記載の転送装置。  
【請求項８】
前記受付部は、前記第１ドメインのクッキーを送信するタグが埋め込まれたウェブページであって、前記第１ドメインを含むＵＲＬ（Uniform  Resource  Locator）によって指定されるウェブページの配信を受付けた情報処理装置から、前記クッキーを受付ける
ことを特徴とする請求項１〜７のうちいずれか１つに記載の転送装置。  
【請求項９】
前記受付部は、前記情報処理装置として、前記ウェブページとは異なるドメインの転送装置にクッキーを送信せず、前記ウェブページと同じドメインの転送装置にクッキーを送信する情報処理装置から前記クッキーを受付ける
ことを特徴とする請求項８に記載の転送装置。
【請求項１０】
情報処理装置から第１ドメインのクッキーの発行要求を受付ける受付部と、
前記クッキーの発行要求を受付けた場合には、第２ドメインのクッキーを管理するサーバ装置に対し、当該第２ドメインのクッキーの発行要求を送信する送信部と、
前記サーバ装置から前記第２ドメインで発行されたクッキーを受信した場合には、当該クッキーが発行されたドメインを示す値以外の値を変更せずに、当該クッキーが発行されたドメインの値を第１ドメインを示す値に変更し、当該ドメインを示す値を変更したクッキーを、前記第１ドメインのクッキーとして前記情報処理装置に通知する通知部と
を有することを特徴とする転送装置。
【請求項１１】
転送装置が実行する転送方法であって、
第１ドメインのクッキーを情報処理装置から受付ける受付工程と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信工程と
を含むことを特徴とする転送方法。
【請求項１２】
第１ドメインのクッキーを情報処理装置から受付ける受付手順と、
前記第１ドメインのクッキーに含まれる値のうち、当該クッキーが発行されたドメインを示す値以外の値を変更せずに、当該クッキーが発行されたドメインの値を第２ドメインを示す値に変更し、当該ドメインを示す値を変更したクッキーを、前記第２ドメインのクッキーを管理するサーバ装置に対して送信する送信手順と
をコンピュータに実行させるための転送プログラム。
【請求項１３】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信工程と
を含むことを特徴とする転送方法。
【請求項１４】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーのうち、前記情報処理装置を使用する利用者を識別する値としてそれぞれ異なるドメインのクッキーの値を統合するか否かを示す項目の値を送信する送信手順と
をコンピュータに実行させるための転送プログラム。
【請求項１５】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信工程と
を含むことを特徴とする転送方法。
【請求項１６】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーのうち、前記情報処理装置に対して広告を提供する回数や、前記第１ドメインのクッキーの使用を前記情報処理装置に指示するタグを実行した回数を計測するための項目の値を送信する送信手順と
をコンピュータに実行させるための転送プログラム。
【請求項１７】
転送装置が実行する転送方法であって、
第１ドメインのクッキーを情報処理装置から受付ける受付工程と、
第２ドメインのクッキーを管理するサーバ装置に対し、前記第２ドメインのクッキーとして、前記情報処理装置から受付けたクッキーのうち前記情報処理装置に対して提供される情報、または、前記情報処理装置に対して提供されない情報を指定する項目の値を送信する送信工程と
を含むことを特徴とする転送方法。
【請求項１８】
第１ドメインのクッキーを情報処理装置から受付ける受付手順と、
第２ドメインのクッキーを管理するサーバ装置に対し、前記第２ドメインのクッキーとして、前記情報処理装置から受付けたクッキーのうち前記情報処理装置に対して提供される情報、または、前記情報処理装置に対して提供されない情報を指定する項目の値を送信する送信手順と
をコンピュータに実行させるための転送プログラム。